【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
式（ＶＩ）：
【化１】
2020506976.tif 000001
［式中、
Ｘは、シクロペンタジエンであり；
Ｂは、Ｈであり；
（Ｚ）ｎは、結合であり；
ｍは、１〜５の範囲であり；
且つ、Ａは、式（ＩＩＣ）:
【化２】
2020506976.tif 000002
（式中、Ｒａ及びＲｂは、独立して、Ｈ、Ｆ、Ｃ１〜Ｃ１０の線状若しくは環状、分岐状若しくは直鎖の脂肪族の基から選択され；Ｔは、−ＣＨ２−、−フェニル、又は−ＣＨ２−フェニルであり；Ｙは、Ｈ、−ＣＨ３、−ＣＨ＝ＣＨ２、−ＣＨ＝ＣＨ−ＣＨ３、又はアルキンであり；ｔは、０又は、１〜２０の範囲の整数であり；ｕは、０又は１であり；ｚは、１〜５の範囲の整数である。）で規定される構造を有する。］で規定される構造を有する樹脂。
【請求項２】
ｔが１であり；且つＲａ及びＲｂがそれぞれＨである、請求項１に記載の樹脂。
【請求項３】
Ｙが、−ＣＨ＝ＣＨ２である、請求項２に記載の樹脂。
【請求項４】
ｍが２であり、且つ第一のＡ基がビニルベンジル部位を含み；且つ第二のＡ基が−ＣＨ２−ＣＨ＝ＣＨ２である、請求項１に記載の樹脂。
【請求項５】
以下の構造を有する、請求項１に記載の樹脂。
【化３】
2020506976.tif 000003
【請求項６】
請求項１に記載の第一の樹脂、及び請求項１に記載の第二の樹脂を含み、前記第一の樹脂及び前記第二の樹脂がそれぞれ異なる、組成物。
【請求項７】
請求項１に記載の樹脂から誘導される、ポリマー又はコポリマー。
【請求項８】
接着剤、ペルオキシド／架橋剤、抗酸化剤、難燃剤、希釈剤、及び充填剤からなる群から選択される添加剤をさらに含む、請求項７に記載のポリマー又はコポリマー。
【請求項９】
ポリマー又はコポリマーであって、請求項１に記載のいずれかの樹脂、及び第二の成分を含み、前記第二の成分が、ポリエチレン、ポリプロピレン、ポリブチレン、低ビニルポリブタジエン（主として１，３付加）、高ビニルポリブタジエン（主として１，２付加）、ポリスチレン、ブタジエン−スチレンコポリマー、ＳＭＡポリマー、ＡＢＳポリマー、ポリジシクロペンタジエン、エポキシ樹脂、ポリウレタン、シアネートエステル、ポリ（フェニレンオキシド）、ＥＰＤＭポリマー、環状オレフィンコポリマー（ＣＯＣ）、ポリイミド、ビスマレイミド、ホスファゼン、オレフィン−変性ホスファゼン、アクリレート樹脂、ビニルエステル、ポリラクトン、ポリカーボネート、ポリスルホン、ポリチオエーテル、ポリエーテルエーテルケトン（ＰＥＥＫ）、ポリジメチルシロキサン（ＰＤＭＳ）、ポリエチレンテレフタレート（ＰＥＴ）及びポリブチレンテレフタレート（ＰＢＴ）、スチレン、ジビニルベンゼン、１，２−ビス（ビニルフェニル）エタン、ビニルベンジルエーテル化合物、ビニルエーテル化合物、アリルエーテル化合物、ビニルフェニルモノマー、ビニルモノマー、アリルモノマー、又はそのような成分の誘導体からなる群から選択される、ポリマー又はコポリマー。
【請求項１０】
請求項７に記載のポリマー又はコポリマーであって、前記ポリマー又はコポリマーが、約１．５〜約３の範囲のＤｋ値を有する、ポリマー又はコポリマー。
【請求項１１】
請求項７に記載のポリマー又はコポリマーであって、前記ポリマー又はコポリマーが、約０．０００１〜０．００４の範囲のＤｆ値を有する、ポリマー又はコポリマー。
【請求項１２】
以下の構造を有する、請求項１に記載の樹脂。
【化４】
2020506976.tif 000004
【請求項１３】
前記樹脂が、−ＣＨ＝ＣＨ２基、−ＣＨ＝ＣＨ−ＣＨ３基、又はアルキン基の一つを末端とする、少なくとも１つのＡ部位を含む、請求項１に記載のポリマー。
【請求項１４】
請求項７に記載のポリマー又はコポリマーであって、前記ポリマー又はコポリマーが、１００〜１，０００，０００ｍＰａ・ｓの室温粘度を有する、ポリマー又はコポリマー。
【請求項１５】
請求項７に記載のポリマー又はコポリマーであって、前記ポリマー又はコポリマーが、微粉末に粉砕できるガラス状の材料を含む、ポリマー又はコポリマー。
【請求項１６】
請求項７に記載のポリマー又はコポリマーであって、前記ポリマー又はコポリマーが、メチルエチルケトン、キシレン、ＮＭＰ、ＤＭＦ、ジクロロメタン、アセトニトリル、アセトン、ＤＭＳＯ、及びテトラヒドロフランから選ばれる有機溶媒に可溶である、ポリマー又はコポリマー。
【請求項１７】
請求項７に記載のポリマー又はコポリマーであって、前記ポリマー又はコポリマーが、約２００〜約１，０００，０００Ｄａの範囲の分子量を有する、ポリマー又はコポリマー。
【請求項１８】
請求項１に記載の樹脂とコモノマーの重合から誘導されるコポリマーであって、前記コモノマーは、スチレン、ジビニルベンゼン、ビニルトルエン、メチルスチレン、tert−ブチルスチレン、α−メチルスチレン、α−メチルスチレンダイマー、ビニルシクロヘキセン、エチリデンノルボルネン、ビニルノルボルネン、α−ピネン、β−ピネン、リモネン、他のテルペン、ポリブタジエン、変性ポリブタジエン、ポリスチレン（ホモポリマー及びブロックコポリマー）、変性ポリスチレン、ポリテルペン、他のビニル反応性モノマー、及びそれらの反応性二量体／オリゴマー／ポリマー／コポリマーからなる群より選ばれる、コポリマー。
【請求項１９】
請求項７に記載の樹脂であって、（ｉ）銅張積層板（ＣＣＬ）、（ｉｉ）ＨＤＩ基板、（ｉｉｉ）高温及び低Ｄｆ用途のプリント回路基板におけるＩＣ基板、（ｉｖ）パワーデバイス用途の成形コンパウンド、並びに、（ｖ）石油及びガス用途における高周波加熱のいずれか一つにおける使用のための樹脂。
【請求項２０】
請求項１及び７のいずれか一項に記載の樹脂であって、前記樹脂は、連続液界面印刷及び光造形法の一つを用いて３Ｄプリントされることができる、樹脂。
【請求項２１】
請求項１〜５、及び１２〜１３のいずれか一項に記載の樹脂又は以下のいずれかの構造を有する樹脂を含む印刷回路基板。
【化５】
2020506976.tif 000005
【化６】
2020506976.tif 000006
【化７】
2020506976.tif 000007
【化８】
2020506976.tif 000008
【化９】
2020506976.tif 000009
【化１０】
2020506976.tif 000010
【化１１】
2020506976.tif 000011
【化１２】
2020506976.tif 000012
【化１３】
2020506976.tif 000013
【化１４】
2020506976.tif 000014
【化１５】
2020506976.tif 000015
【化１６】
2020506976.tif 000016
【請求項２２】
請求項１〜５、及び１２〜１３のいずれか一項に記載の樹脂又は以下のいずれかの構造を有する樹脂を含むレードーム又は衛星構造。
【化１７】
2020506976.tif 000017
【化１８】
2020506976.tif 000018
【化１９】
2020506976.tif 000019
【化２０】
2020506976.tif 000020
【化２１】
2020506976.tif 000021
【化２２】
2020506976.tif 000022
【化２３】
2020506976.tif 000023
【化２４】
2020506976.tif 000024
【化２５】
2020506976.tif 000025
【化２６】
2020506976.tif 000026
【化２７】
2020506976.tif 000027
【化２８】
2020506976.tif 000028